(57)【要約】【課題】歯科治療時の患者の開口と治療の邪魔になる部位の口唇の拡張を同時に可能な開口器を提供する。【解決手段】口腔内上下顎の歯牙の間にセットするバイトブロック１１に接続されたバネ１３に取り付けられた口角鉤１２によりバイトブロック１１と反対側の口唇を拡張することにより、患者の開口を容易にして、なを克つ歯科医の治療の作業性を向上する。バイトブロック１１とバネ１３の接続角度は可変であるので口角鉤は口唇の任意の部位を拡張することができる。【選択図】  図１
2007282698.tif 000002
【特許請求の範囲】
【請求項１】
上下の歯牙の間に噛ませて上下顎の間に空間を確保することの出来るバイトブロックと、バイトブロックに接続されたバネと、バネに接続された口角鉤とによって口唇を拡張し、そのことにより開口と口唇の拡張を同時にすることのできる歯科用開口器。
【請求項２】
バイトブロックとバネの取り付け角度を可調節にすることにより口唇の任意の部分を拡張できる請求項１に記載の歯科用開口器。
【請求項３】
請求項１記載の歯科用開口器においてバネに代えてバイトブロックと口角鉤をその距離を変えて固定できるアームをそなえた歯科用開口器。
【発明の詳細な説明】
【技術分野】
【０００１】
本発明は、歯科用バイトブロック及び口角鉤をそなえた開口器に関する。本発明の開口器によれば、歯科治療中の開口及び口唇の拡張を、簡便にしかも有効に行うことが出来る。
【背景技術】
【０００２】
歯科治療を行うに当たっては、治療中に患者は口を開ける必要があり、なを克つ治療を妨げる部位の口唇についてはこれを拡張する必要がある。長時間の開口は患者に苦痛をもたらし、また歯科医や衛生士による口唇の拡張については治療の作業性を悪くするのでそのため、従来より上下歯牙の間に咬ませて開口を補助する歯科用バイトブロックとよばれるものがある（例えば特許文献１参照）。
また口角鉤を連結することにより口唇を左右または上下に拡張することにより開口を補助する開口器がある（例えば特許文献２参照）。
また、上下歯牙の間に咬ませて距離を調節することにより開口を補助する開口器がある（例えば特許文献３参照）。
【０００３】
【特許文献１】特開２００３−２４５２９０
【特許文献２】特開平１１−１７８７９２
【特許文献３】特開２００１−０１７４５１
【発明の開示】
【発明が解決しようとする課題】
【０００４】
バイトブロックは上下の歯牙の間に噛ませて開口を確保することが可能であるが口唇の拡張機能はなく、口唇の拡張は別途、口角鉤や指を用いて行う必要がある。開口器についてはバイトブロックと同様に上下の歯牙に噛ませて開口の機能を有するものと、歯牙に噛ませることなく口角鉤を左右又は上下に連結して口唇を拡張することにより開口および口唇の拡張の機能を有するものがあるが、口唇の拡張については左右または上下、あるいは口唇全体を外側に拡張するために、治療部位の口唇のみを選択的に拡張することは出来ず、なを克つ左右または上下を同時に拡張するため、拡張が必要な部位の反対側も拡張され、結果として必要な部位を効率的に拡張することは困難であった。開口と特定部位の口唇の拡張という治療中に必要な補助作業を一つの器具で同時に達成することが出来なかったために、患者、歯科医師および歯科衛生士に対し治療中の補助作業に多大なる負担を与えている。従って、開口と特定部位の口唇の拡張が同時に可能な保持器具の開発が求められていた。
【０００５】
本発明者は、開口と特定部位の口唇の拡張が同時に可能な保持器具の開発をめざしたところ、患者の開口の負担を軽減し、かつ治療中に妨げになる部位の口唇のみを選択的に拡張することを可能にする開口器を開発した。
従って、本発明の課題は、前述の開口器を提供することにある。
【課題を解決するための手段】
【０００６】
前記課題を解決するために本願発明の開口器は、上下の歯牙の間に噛ませて上下顎の間に空間を確保することの出来るバイトブロックと、口唇を拡張する口角鉤と、バイトブロックと口角鉤を接続する弾性体により作られたバネを備えたことを特徴とする。このように構成された開口器を患者の口に装着し、例えばバイトブロックを右側の歯牙に噛ませ、口角鉤を左側の口唇に掛けてバネの力により口唇を拡張することにより、開口を確保し、なを克つ左側の口唇を拡張することが可能である。
また、バイトブロックに接続するバネの取り付け角度を調節することにより左側の口唇の任意の位置を拡張することができる。
【０００７】
本発明の好ましい開口器においては、開口と口唇の拡張を同時に可能にするためバイトブロックと口角鉤を弾性体によって作られたバネによって接続する。本発明の好ましい開口器においては、任意の部位の口唇の拡張を可能にするためバイトブロックおよび口角鉤に接続するバネの取り付け角度を任意に調節できる。
【発明の効果】
【０００８】
本発明の開口器は、患者への装着が簡単であるために、例えば開口や口唇の拡張などの準備に不要な時間を消費することがなく、かつ患者に治療中の開口の負担を与えることが無い。歯科医にとっては治療中に開口のための作業が不要になるために本来の治療に専念できるので治療が快適となる。
【発明を実施するための最良の形態】
【０００９】
以下、添付図面に沿って本発明の特定の態様を説明する。
図１は本発明実施形態例の斜視図である。図２は開口器を患者に装着し右側口唇の上部を拡張した例である。
図１に示す態様の本説明による開口器１は、開口を維持する手段としてのバイトブロック１１、口唇を拡張する手段としての口角鉤１２、及び口角鉤１２に拡張力を付与するためのバネ１３を含む。バネ１３はバイトブロック１１上のヒンジ２１により接続されており、患者の顔面と平行な面上を回転可能であり、従って取り付け角度により口角鉤１２を任意の方向に引っ張ることが可能である。また口角鉤１２は口角鉤上のヒンジ２２によってバネ１３と接続されており、同じく患者の顔面と平行な面上を回転可能であり、拡張する口唇部分に自然に適合することが出来る。
なお図１に示す態様では口角鉤１２に拡張力を付与するためのバネとしてプラスチック製のバネ１３を使用しているが、それに代えて金属線を利用することも出来る。
また、図１に示す態様では口角鉤１２に拡張力を付与するためバネ１３を使用しているが
図３に示すようにバネに変えて口角鉤１２とバイトブロック１１をその間の距離を可調節に締結することの出来るアーム６１、６２及び固定ネジ６３を利用することも出来る。
【００１０】
なを、図４にバイトブロック１１とバネ１３との接続例の１例を示す。バイトブロック１１の上顎歯牙５１および下顎歯牙５２とかみ合わせる部分３１および３２は歯列の方向に倣うように溝状の形態となっており、バイトブロックが口唇５６、５７の外に露出する部分に溝と直角なリブ３４を設けリブ３４上にヒンジ２１を設ける。ヒンジ２１によってバイトブロック１１とバネ１３が締結されている。従って、ヒンジ２１に接続されたバネは歯列と直角の方向に回転が可能である。バイトブロック１１は臼歯部に装着されるためバネ１３は顔面と平行に回転が可能である。なを、ヒンジ２１は円形で自由回転が可能であるが、ヒンジ２１にキーを取り付けるか或いは多角形として特定の角度でのみバネ１３が接続するような構成も可能であり、あるいはバイトブロック１１とバネ１３を固定接続することも可能である。バイトブロック１１は感染予防の観点から滅菌操作に耐えうることが要求されるが患者の歯牙を保護し、克つ噛んだときの不快感を和らげる意味で耐熱性、対薬品性、弾力性があり、克つ咬合力に耐える十分な強度を持つプラスチック、例えばポリプロピレンのような素材が好ましい。バネ１３は必要な弾力を持つプラスチックまたは金属の板あるいは線を使うことができる。
【００１１】
なを、図５に口角鉤１２とバネ１３の接続例の１例を示す。口角鉤１２は口角鉤溝４１により唇５６に適合し唇面に直角なヒンジ２２が付属している。ヒンジ２２にはバネ１３を取り付けることが出来、バネ１３に対して口角鉤１２は回転が可能である。従って、口角鉤１２が口唇５６のどの位置を拡張しても溝４１は口唇５６に倣って、自然に口唇を頬５８の方向に拡張し歯列５５を露出することができる。
なお、図５に示す態様では口角鉤１２はバネ１３に対してヒンジ２２によって回転可能に取り付けられているが、ヒンジ２２にキーを取り付けるか或いは多角形として特定の角度のみでバネが接続するような構成も可能であり、あるいは口角鉤１２とバネ１３を固定接続することも可能である。口角鉤１２は直接口唇５６に接触するので不快感を防止するために軟質のプラスチックが好ましいが、感染予防の観点から、各種滅菌処理に耐えうる素材でなければならない。
【図面の簡単な説明】
【００１２】
【図１】本発明の開口器の一態様の斜視図である。
【図２】図１に示す開口器を患者に装着した一例である。
【図３】本発明の開口器の一態様の斜視図である。
【図４】本発明のバイトブロックの接続例の一例である。
【図５】本発明の口角鉤の接続例の一例である。
【符号の説明】
【００１３】
１・・・開口器；２・・・開口器；  １１・・・バイトブロック；１２・・・口角鉤；１３・・・バネ；２１・・・ヒンジ；２２・・・ヒンジ；３１・・・バイトブロック溝；３２・・・バイトブロック溝；３４・・・リブ；４１・・・口角鉤溝；５１・・・上顎歯牙；５２・・・下顎歯牙；５５・・・歯列；５６・・・口唇；５７・・・口唇；５８・・・頬；  ６１・・・固定アーム；６２・・・可動アーム；６３・・・固定ネジ
【図１】
2007282698.tif 000003
【図２】
2007282698.tif 000004
【図３】
2007282698.tif 000005
【図４】
2007282698.tif 000006
【図５】
2007282698.tif 000007